(57)【要約】      （修正有）【課題】ノートＰＣ等の小型情報システムに適したデジタル放送受信システムを提供する。【解決手段】デジタル放送受信システムは、ＰＣに接続してデジタル放送をＰＣで視聴可能なデジタル放送受信システムであって、前記デジタル放送受信システムは、動画圧縮されたデジタル放送波を伸張する放送波デコード手段と前記デコードした放送波の映像の大きさを小さくする映像スケール変換手段とを有するデジタル・チューナユニットと、ＰＣに接続する伝送インターフェイス手段を備えるようにし、前記伝送インターフェイス手段を経由してＰＣにデジタル放送映像を送付し、デジタル放送を視聴可能にするようにした。さらに、前記デジタル・チューナユニットはデジタルチューナと放送波デコーダを有し、前記伝送インターフェイス手段は、デコード後の映像情報をＰＣに送付するようにした。【選択図】図１
2012054959.tif 000002
【特許請求の範囲】
【請求項１】
ＰＣに接続してデジタル放送をＰＣで視聴可能なデジタル放送受信システムであって、
前記デジタル放送受信システムは、
動画圧縮されたデジタル放送波を伸張する放送波デコード手段と前記デコードした放送波の映像の大きさを小さくする映像スケール変換手段とを有するデジタル・チューナユニットと、
ＰＣに接続する伝送インターフェイス手段を備え、
前記伝送インターフェイス手段を経由してＰＣにデジタル放送映像を送付し、デジタル放送を視聴可能にすることを特徴とするデジタル放送受信システム。
【請求項２】
請求項１に記載のデジタル放送受信システムにおいて、
前記デジタル・チューナユニットはデジタルチューナと放送波デコーダを有し、前記伝送インターフェイス手段は、デコード後の映像情報をＰＣに送付することを特徴とするデジタル放送受信システム。
【請求項３】
請求項１に記載のデジタル放送受信システムにおいて、
前記映像スケール変換手段は、デコードした放送波の映像を縦９６０ドット、横５４０ドットの映像サイズにスケーリングすることを特徴とするデジタル放送受信システム。
【請求項４】
請求項１に記載のデジタル放送受信システムにおいて、
前記映像スケール変換手段は、デコードした放送波の映像を縦７２０ドット、横７２０ドットの映像サイズにスケーリングすることを特徴とするデジタル放送受信システム。
【請求項５】
ＰＣに接続してデジタル放送をＰＣで視聴可能なデジタル放送受信システムであって、
前記デジタル放送受信システムは、
動画圧縮されたデジタル放送波を伸張する放送波デコード手段と前記デコードして放送波のトランスポート・ストリームをプログラム・ストリームに変換するエンコード手段とを有するデジタル・チューナユニットと、
ＰＣに接続する伝送インターフェイス手段を備え、
前記伝送インターフェイス手段を経由してＰＣに帯域小さくしたデジタル放送映像を送付し、デジタル放送を視聴可能にすることを特徴とするデジタル放送受信システム。
【請求項６】
請求項１または請求項５に記載のデジタル放送受信システムにおいて、
前記伝送インターフェイス手段の接続状態を監視する接続監視手段と、
前記デジタル・チューナユニットの映像出力を外部表示部に出力する外部映像出力部を備え、
前記接続監視手段が前記伝送インターフェイス手段の切断を検出したときに前記外部映像出力部から映像出力することを特徴とするデジタル放送受信システム。
【請求項７】
請求項１または請求項５に記載のデジタル放送受信システムにおいて、
前記デジタル・チューナユニットの映像出力を外部表示部に出力する外部映像出力部を備え、
前記伝送インターフェイス手段を経由してＰＣからデコードしたデータ放送視聴画面を受信し、前記デジタル・チューナユニットの映像出力と前記データ放送視聴画面を合成して、前記外部映像出力部から映像出力することを特徴とするデジタル放送受信システム。
【請求項８】
請求項１または請求項５に記載のデジタル放送受信システムにおいて、
前記デジタル・チューナユニットの映像出力を外部表示部に出力する外部映像出力部を備え、
前記伝送インターフェイス手段を経由してＰＣからプログラムストリームをデコードした映像情報を取得し、前記外部映像出力部から映像出力することを特徴とするデジタル放送受信システム。
【発明の詳細な説明】
【技術分野】
【０００１】
本発明は、デジタル放送波によって送られてくる動画像情報を、視聴、録画、再生を行うデジタル放送受信システムにおいて、チューナユニットと録画再生システムが、それぞれサブシステムとなった形態のデジタル放送受信システムの構成方法に関するものである。また特に録画再生システムがPC（パーソナルコンピュータ）であるものに関する。
【背景技術】
【０００２】
デジタル放送受信システムにおいて、チューナユニットが別のサブシステムとなっており、PCを接続することで、デジタル放送受信システムを構成するものとして特許文献１記載のデジタル放送受信装置が挙げられる。
【０００３】
特許文献１に開示された技術によれば、チューナユニットとPCの間を伝送インターフェイスで接続し、チューナユニットとPCの間を相互認証し、また伝送インターフェイス上にチューナユニットから出力されたトランスポート・ストリームをそのままの形で暗号化して流すことで、デジタル放送の放送番組の著作権を守ることを実現している。
【先行技術文献】
【特許文献】
【０００４】
【特許文献１】特開２００６−７４６８６号公報
【発明の概要】
【発明が解決しようとする課題】
【０００５】
前記特許文献１の技術には、放送番組情報が多重化されたトランスポート・ストリームを、そのまま伝送インターフェイス上に流すため、伝送帯域が不足する可能性がある問題がある。
【０００６】
また、放送番組の著作権を守るために、放送波に含まれる認証データをPC側で用いており、サブシステムで閉じておらず、解析されやすい。
【０００７】
また、広帯域な放送番組をデコードする部位がPC側に存在し、PCのCPU使用率が高いことが予想される。
【０００８】
また、放送番組を録画し、再生することや、またその録画番組の著作権を守ることについては、考慮されていない。
【０００９】
また、放送波に多重化されているデータ放送の受信方法については考慮されていない。
【００１０】
また、デジタル放送受信システムでは、通常用いられる赤外線などを用いたリモートコントロール（通称：リモコン）については、考慮されていない。
【００１１】
また、チューナユニットとPCの接続を取り外した際でも使用可能なような利便性については考慮されていない。
【００１２】
また、チューナの種別が異なるケースについて考慮されていない。
【００１３】
さらに、伝送インターフェイスの種別が異なる場合について考慮されていない。
【００１４】
本発明の目的、は上記従来技術の問題点を解決し、ノートＰＣ等の小型情報システムに適したデジタル放送受信システムを提供することにある。
【課題を解決するための手段】
【００１５】
上記課題を解決するために、本発明のデジタル放送受信システムは、ＰＣに接続してデジタル放送をＰＣで視聴可能なデジタル放送受信システムであって、前記デジタル放送受信システムは、動画圧縮されたデジタル放送波を伸張する放送波デコード手段と前記デコードした放送波の映像の大きさを小さくする映像スケール変換手段とを有するデジタル・チューナユニットと、ＰＣに接続する伝送インターフェイス手段を備えるようにし、前記伝送インターフェイス手段を経由してＰＣにデジタル放送映像を送付し、デジタル放送を視聴可能にするようにした。
【００１６】
さらに、本発明のデジタル放送受信システムは、前記デジタル・チューナユニットはデジタルチューナと放送波デコーダを有し、前記伝送インターフェイス手段は、デコード後の映像情報をＰＣに送付するようにした。
【発明の効果】
【００１７】
本発明によれば、チューナユニットとＰＣの機能分割の最適化が図れ、特に、ノートＰＣ等の小型情報システムに適したデジタル放送受信システムを提供することができ、デジタル放送システムの普及に寄与することができる。
【図面の簡単な説明】
【００１８】
【図１】デジタル放送受信システム構成図（実施例１）である。
【図２】デジタル放送受信システム外観図（実施例１）である。
【図３】ＰＣ内部ブロック図（実施例１）である。
【図４】他の帯域縮小化方式（実施例２）の説明図である。
【図５】他の帯域縮小化方式（実施例３）の説明図である。
【図６】デジタル放送受信システム内部ブロック図（実施例３）である。
【図７】デジタル放送受信システム内部ブロック図（実施例４）である。
【図８】デジタル放送受信システム外観図（実施例４）である。
【図９】伝送インターフェイス接続監視フローチャート図（実施例５）である。
【図１０】デジタル放送受信システム構成図（実施例６）である。
【発明を実施するための形態】
【００１９】
本発明によれば、チューナユニット側に、チューナと放送波デコーダと映像スケール変換部位を備え、PC側に映像データ受信部位、映像データ表示部位を備えることで、PC側には、放送波をそのままデコードするデコーダが存在しないため、低い性能のプロセッサでもデジタル放送の視聴動作が可能となる。以下図面により詳細に説明する。
【００２０】
（実施例１）
以下図１から図３を用いて、本発明の第１の実施例について説明を行う。
図１は、本発明の第１の実施例のデジタル放送受信システム内部ブロック図であり、１はチューナユニット、２はＰＣ、３は受信アンテナ、４はデジタルチューナ、５はリモコン受光部、６は放送波分割部、７は放送波デコーダ、８は映像スケール変換部、９はリモコン、１０は制御部、１１は暗号・復号化部，１２は暗号化部、１３，１４は認証部、１５は復号部，１６は暗号・復号部、１７は制御部、１８はデータ放送デコーダ、１９は映像転送部、２０は表示部、２１は、ＰＳエンコーダ、２２はＰＳデコーダ、２３はＨＤＤ、２４は伝送インターフェイス、２５はデジタル放送受信制御部、２６は表示部、２７は外部出力である。図２は、デジタル放送受信システムの外観図であり、１はチューナユニット、２はＰＣ、２８は受信アンテナケーブル、５はリモコン受光部、９はリモコン、２４は伝送インターフェイス、２９は外部出力ケーブルである。
【００２１】
図２において、本発明の第１の実施例では、チューナユニット１とＰＣ２が、伝送インターフェイス２４によって接続されたシステムであり、受信アンテナ３（図１に図示）に接続された受信アンテナケーブル２８と外部出力２７に接続された外部出力ケーブル２９が、チューナユニット１に接続された外観を持ち、チューナユニット１には、リモコン９からの制御信号を受け取るリモコン受光部５を備える。チューナユニット１は、ＰＣ２からみて、ＰＣ２の周辺機器の位置付けであるが、伝送インターフェイス２４によって接続され、全体としてデジタル放送受信システムを構成しているものである。
【００２２】
図１に戻って、図１はデジタル放送受信システムを構成しているチューナユニット１とＰＣ２の内部ブロック図を示したものである。チューナユニット１には、受信アンテナ３が接続されており、ここでデジタル放送を受信している。受信アンテナ３はデジタルチューナ４に接続されており、ここでデジタル放送のトランスポート・ストリームで構成された放送波を分波している。デジタルチューナ４の出力は、放送波分割部６に接続されており、放送波分割部６では、デジタル放送特有の多重化された情報ストリームを分割する機能を備える。放送波分割部６により、放送波の映像や音声の情報ストリームは、放送波デコーダ７に渡される。また、放送分割部６の出力の一部は、データ放送データとして暗号
・復号部１１に渡され、暗号化されて、ＰＣ２の暗号・復号部１６に伝送される。暗号・復号部１６では、暗号化されたデータ放送データが復号され、データ放送デコーダ１８に渡される。データ放送データは、データ放送デコーダ１８によって、データ放送の映像としてデコードされる。データ放送の映像は、折り返して、暗号・復号部１６に渡され  暗号化され、チューナユニット１に戻り、暗号・復号部１１によって復号され、フレームメモリ２７に書かれる。放送分割部６から出力された放送波は、放送波デコーダ７に渡され、映像信号として、フレームメモリ２７に書かれる。フレームメモリ２７に書かれた映像情報は、映像スケール変換部８と表示部２６に入力され、外部出力２７としてチューナユニット１から出力される。また映像スケール変換部８によって、スケール（映像の縦横の大きさ)を小さくされて、暗号部１２に映像情報が送られる。暗号部１２では、暗号化を
実施し、ＰＣ２に伝送される。ＰＣ２では、復号部１５によって復号され、映像転送部１９に送られる。その後、映像転送部１９から表示部２０に送られ、ＰＣ２の表示装置に映像が表示される。以上の動作の結果、デジタル放送受信システムを構成するチューナユニット１とＰＣ２によって、受信アンテナ３で受信したデジタル放送の映像を、ＰＣ２の表示装置に表示可能である。
【００２３】
ここで、ＰＣ２の制御部１７とチューナユニット１の制御部は、互いに制御信号を送りあっており、接続されたことの検出の他、制御信号や状態情報を送りあい、システム全体の制御を実現している。
【００２４】
また、チューナユニット１のリモコン受光部５は、使用者によってリモコン９を用いて指示された選局操作などの制御信号を受け取り、制御部１０に送られる。制御部１０は、チューナユニット１全体の制御を実施しており、選局情報は、デジタルチューナ４に送られ、放送局の選局操作が実施される。
【００２５】
チューナユニット１とＰＣ２に存在する認証部１３と認証部１４は、互いに認証しあうことで、チューナユニット１とＰＣ２によって構成されるデジタル放送受信システムを一意のシステムとして構成することを実現している。
【００２６】
ＰＣ２には、ＰＳ（プログラム・ストリーム）フォーマットを扱うＰＳエンコーダ２１とＰＳデコーダ２２を備えており、映像転送部１９から送られた映像データをＰＳエンコーダ２１で、圧縮されたデータとなり、ＨＤＤ２３に保存され、放送番組の録画を実現させる。またＨＤＤ２３に保存された放送番組は、ＰＳデコーダ２２に送られ、伸張されて映像データとなり、表示部２０に送られ、放送番組の再生を実現させる。以上の動作によって、デジタル放送の録画と再生機能が利用可能である。
【００２７】
また、チューナユニット１とＰＣ２の間を接続している伝送インターフェイス２４上では、放送波の映像情報や、データ放送情報は、必ず暗号化されて伝送されており、チューナユニット１とＰＣ２を合わせて、ひとつのシステムを構成している。
【００２８】
ここで、放送波におけるトランスポート・ストリームをチューナユニット１から直接そのまま伝送するのではなく、放送波デコーダ７で、一旦映像情報としてデコードしてから、映像スケール変換部８で、映像サイズを小さくして伝送するため、伝送インターフェイス２４上で費やす伝送帯域は、そのまま送るよりは狭くてよいという効果がある。
【００２９】
ＰＣ２において、内部に存在する制御部１７、暗号・復号部１６、復号部１５、認証部１４、データ放送デコーダ１８、映像転送部１９、ＰＳエンコーダ２１、ＰＳデコーダ２２は、デジタル放送受信制御部２５として、ソフトウェア・モジュールとして実装されている。
【００３０】
図３は、図１、２におけるＰＣ２の内部ブロック図であり、３１はプロセッサ、号３２は入力手段、３３は出力手段、３４はＦｌａｓｈ ＲＯＭ、３５はメインメモリ、３６はシステムバス、２３はＨＤＤである。図3のＰＣ２の内部は、プロセッサ３１と各要素がシステムバス３６で接続された形態となっており、ＰＣ２の電源を入れると、Ｆｌａｓｈ  ＲＯＭ３４上のプログラムから実行され、ＨＤＤ２３上のオペレーティング・システムやプログラムをメインメモリ３５に展開して、プロセッサ３１が解釈実行しているものである。
【００３１】
図１のデジタル放送受信制御部２５として、ソフトウェア・モジュールで実装されていたプログラムは、同様に、プロセッサ３１にて、解釈実行されており、入力手段３２や出力手段３３を通じて、動作しているものである。本実施例では、ソフトウェア・モジュールでの実装形態となっているが、メーカーの実装によっては、ハードウェア・モジュールで実装しても良い。しかしながら、ソフトウェア・モジュールで実装した場合には、特別なハードウェアを備えない汎用ＰＣを用いてデジタル放送受信システムを構成可能となる効果が存在する。
【００３２】
（実施例２）
図４は、図1の映像スケール変換部８の第２の実施例であり、動作内容を説明したものである。ここでは、映像データの表示サイズが縦横１９２０ｘ１０８０ドットであった場合、映像スケール変換部８の処理を経ると、縦横二分の一の９６０ｘ５４０ドットに映像データを間引いて変換するものである。また、映像データの表示サイズが縦横１４４０ｘ１０８０ドットであった場合、映像スケール変換部８の処理を経ると、縦横二分の一の７２０ｘ５４０ドットに映像データを間引いて変換するものである。
【００３３】
ここでは、面積比四分の一になるような例を示したが、小さくかつ映像品質を保てるならば、たとえば７２０ｘ７２０ドットであってもよく、ある特定の標準規格では５２万画素以下にすることを要求されているケースが存在し、９６０ｘ５４０ドットや７２０ｘ７２０ドットは、どちらも約５１．８万画素となり、品質を確保できる良好なサイズである。特に、７２０ｘ７２０ドットでは、縦６００本以上となり、また横方向は、人間の目の特性から、見分けることができず、分解能があまり高い必然性は無いので、この映像サイズの画質は、あまり劣化しないという特徴を持つ。
【００３４】
（実施例３）
図５は、図１の映像スケール変換部８の代わりに、ＴＳ／ＰＳエンコーダ２８を用いたものであり、詳細な動作については、後述の図６を用いて説明を行うが、ＴＳ／ＰＳエンコーダ２８では、図１〜４を用いて説明を行った実施例とは異なる手段で、伝送インターフェイス上の伝送帯域が小さくて済むよう工夫したものである。
【００３５】
ここでは、トランスポート・ストリームを、放送波デコーダ７経由で、ＴＳ／ＰＳエンコーダ２８へ送り、サイズのより小さなトランスポート・ストリームかあるいはプログラム・ストリームに変換して、全体の帯域を小さくするものである。ここで、トランスポート・ストリームとプログラム・ストリームの違いは、単なるフォーマット形式の違いであるため、映像品質という観点からは、同様と考えてよいという利点がある。
【００３６】
図６では、図５で説明を行ったＴＳ／ＰＳエンコーダ２８を用いた第３の実施例の内部ブロック図を示したものである。ここで、第１の実施例の説明を行った図１と異なる点のみ説明を行う。２８はＴＳ／ＰＳエンコーダ、４０はチューナユニット、４１はＰＣ、４３はＰＳデコーダ、４４はＴＳデコーダ、４５は切り替え部である。
【００３７】
チューナユニット４０内部には、放送波デコーダ７の後段にＴＳ／ＰＳエンコーダ２８が接続され、暗号部１２を経由して、暗号化され、ＰＣ４１に伝送されている。ＰＣ４１では、復号部１５を経由して、映像情報を受け取り、切り替え部４５を経て、視聴動作の場合には、ＰＳデコーダ４３あるいは、ＴＳデコーダ４４を経由して、表示部２０へ送り、ＰＣ４１の表示部位で映像が表示される。  録画動作の場合には、切り替え部４５を経て、ＨＤＤ２３に録画番組として格納される。また再生動作の場合には、ＨＤＤ２３に格納された録画番組は、そのフォーマット形式によって、ＰＳデコーダ４３あるいはＴＳデコーダ４４に送られ、映像情報としてデコードされ、表示部２０に送られ、表示される。
【００３８】
ここで、第１の実施例と異なるのは、チューナユニット４０に、図１に存在した映像スケール変換部８の代わりに、ＴＳ／ＰＳエンコーダ２８が存在し、また、ＰＣ４１の内部には、ＰＳエンコーダ２１の代わりにＴＳデコーダ２４が存在する点である。この第３の実施例では、ＴＳ／ＰＳエンコーダ２８は高価であるが、伝送インターフェイス24上に占める帯域をより小さくすることが可能となり、また、ＰＣ４１内部からは、ＰＳエンコーダが不要となったため、図３でのプロセッサをより安価な性能の低いものを用いることが可能となる。
【００３９】
（実施例４）
図７は、図１のデジタル放送受信システムの他の実施例であり、違いは、伝送インターフェイス２４が切断された状態を示したものである。この状態では、チューナユニット１とＰＣ２は、一切の通信が出来ないため、ＰＣ２からの制御やＰＣ２が備える機能（データ放送のデコードと視聴、録画機能、再生機能）は、使用できなくなるが、それでもチューナユニット１は、リモコン９を用いて操作可能であるため、単体チューナとして、独立して、デジタル放送を受信して、映像表示を可能である。
【００４０】
図８は、図７を用いて説明を行った第4の実施例のときの外観図であり、８０は外部モニタであり、その他は、図２と同じであるため、説明を省略する。ここでは、チューナユニット１とＰＣ２の間の伝送インターフェイス２４は、接続されていないが、チューナユニット１には、外部出力ケーブル２９を経由して、外部モニタ８０と接続されている。この実施例では、ＰＣ２の周辺機器であったチューナユニット１が、接続されている状態では、視聴、録画、再生、データ放送視聴といった機能の多い、デジタル放送受信システムを構成していたが、伝送インターフェイス２４が接続されていなくても、デジタル放送の視聴機能だけは利用可能となるという利便性が存在する。
【００４１】
（実施例５）
図９は、図７と８を用いて説明を行った第4の実施例において、ＰＣ２内部のプログラム・モジュールであったデジタル放送受信制御部２５と同時に動作するプログラムとして伝送インターフェイス接続監視機能を追加して、伝送インターフェイス２４の接続を監視する場合の動作フローを示したものである。
【００４２】
ＰＣ２を起動した際、９００１から９００２へ移り、伝送インターフェイス２４が接続されているか監視を行う。監視自体は、図１の制御部１７か、認証部１３を用いれば簡単に実現可能である。監視した結果、９００３に移り、接続したと判断した場合には、９００４に移り、デジタル放送受信制御部２５におけるデジタル放送受信機能の実行を行う。また接続されていないと判断した場合には、デジタル放送受信制御部２５におけるデジタル放送受信機能の終了を行う。その結果、伝送インターフェイス２４が接続されているときには、デジタル放送受信システムが備える全機能が自動的に利用可能となり、接続されていないときでも、デジタル放送の視聴が可能になるといったとても便利な機能を備えている。
【００４３】
（実施例６）
図１０は、本発明の第６の実施例であり、図１を用いて説明を行った第1の実施例との異なる部位のみ説明を行う。図１０において、７０はチューナユニット、７１はＰＣである。ＰＣ７１の内部では、ＰＳデコーダ２４の出力が、表示部２０だけでなく、暗号・復号部１６に接続されており、ここで暗号化されて、チューナユニット７０に送られる。
【００４４】
チューナユニット７０では、暗号・復号部１１にて、復号化され、フレームメモリ２７に映像信号として、書き込まれる。フレームメモリ２７に書き込まれた映像情報は、表示部２６から出力信号27として出力される。ここでは、ＰＣ７１を用いて、ＨＤＤ２３に格納されていた録画番組を再生した際、第１の実施例では、ＰＣ７１側の表示部位にしか表示することが出来なかったが、第６の実施例では、チューナユニット７０に送ることで、チューナユニット７０に接続された外部モニタにも録画番組の再生映像が表示されるといった効果があり、デジタル放送受信システムとしては、より完成度が高く便利である。
【００４５】
（実施例７）
図１から図１０までを用いて説明を行ったデジタル放送受信システムの実施例において、伝送インターフェイスの種別については、特に例を挙げてこなかったが、伝送インターフェイスの種別としては、ＵＳＢ（Universal Serial Bus）、ＩＥＥＥ１３９４や、Ethernet(登録商標)など有線のものであったり、無線を用いたものであったり、本発明の実施形態では、特に固定されるものではなく、一つだけでなく、映像信号と制御データを別々のインターフェイスを用いたり、同一インターフェイスを複数本用いたりしても良い。複数本用いることで、伝送帯域を拡大でき、より解像度が高い高品質な映像を扱うことが出来るといった。
【００４６】
（実施例８）
図１から図１０までを用いて説明を行ったデジタル放送受信システムの実施例において、受信可能な放送波の種別については、特定していなかったが、日本や米国のデジタル放送や、欧州のデジタル放送だけでなく、どこのデジタル放送でも基本的な構成は大きく変わらず、応用するだけで対応可能である。
【００４７】
上記実施例によるデジタル放送受信システムでは、次に挙げる効果が存在する。
伝送インターフェイス上に伸張されたベースバンドの映像データを送ることで、放送波の信号帯域に影響されない一定のデータ転送量で送ることが可能となり、安定したデータ転送が可能となる。
【００４８】
また、映像スケール変換部位により、より小さなデータサイズにすることができ、帯域不足が起きないシステムが提供可能である。
【００４９】
また、認証部位をチューナユニット側とPC側に備えることで、放送波の認証システムとは独立した方式により、システム全体における著作権保護が、より強固になるといった効果がある。
【００５０】
また、暗号化部位をチューナユニット側に、復号化部位をPC側に備えることで、伝送インターフェイスに汎用的なものを使用可能といった効果が存在する。
【００５１】
また、チューナユニット側で放送波分割部位、放送波デコーダを備えることで、PC側のCPUリソースを消費することが無いといった効果が存在する。
【００５２】
また、放送番組の録画再生機構をPC側に備えることで、単なる受信装置ではなく、録画再生システムを構成でき、より便利なシステムを提供するといった効果が存在する。
【００５３】
また、データ放送の受信と視聴方式をPC側に構成することで、チューナユニット側は、簡便なプロセッサで構成可能といった効果が存在する。
【００５４】
また、リモコン受光部位を制御部位に接続し、チューナユニット側で、リモコンによる選局動作が可能となるといった効果が存在する。
【００５５】
また、プログラム・ストリームエンコーダとプログラム・ストリームデコーダをPC側に備えることで、チューナユニットから受信したベースバンド映像データを、圧縮してPC側のハードディスクに保存することが可能となり、それをデコードして、PC側で表示するといった機能を実現するといった効果が存在する。
【００５６】
また、PC側の構成部位をデジタル放送受信制御部位として、ソフトウェアユニットとして実装することで、PCにおいて簡単にデジタル放送受信システムを構成することが可能となる。
【００５７】
またPC側に、録画再生システムが存在するため、チューナユニットとの伝送インターフェイスを切り離して、PC単体で録画再生機能を動作させることが可能となるといった効果が存在する。
【００５８】
またデジタル放送特有のハードウェアをチューナユニット側に実装し、ＰＣ側は、全てをソフトウェア・モジュールで実装するため、ＰＣ側は汎用的なものでよいという効果がある。
【符号の説明】
【００５９】
１…チューナユニット、２…ＰＣ、３…受信アンテナ、
４…デジタルチューナ、８…映像スケール変換部、
２４…伝送インターフェイス、２８…ＴＳ／ＰＳエンコーダ
【図１】
2012054959.tif 000003
【図２】
2012054959.tif 000004
【図３】
2012054959.tif 000005
【図４】
2012054959.tif 000006
【図５】
2012054959.tif 000007
【図６】
2012054959.tif 000008
【図７】
2012054959.tif 000009
【図８】
2012054959.tif 000010
【図９】
2012054959.tif 000011
【図１０】
2012054959.tif 000012
【手続補正書】
【提出日】平成23年10月28日(2011.10.28)
【手続補正２】
【補正対象書類名】特許請求の範囲
【補正対象項目名】全文
【補正方法】変更
【補正の内容】
【特許請求の範囲】
【請求項１】
デジタル放送受信部と、前記デジタル放送受信部がインターフェースを介して接続可能な受信制御部とを有するデジタル放送受信システムにおいて、
前記デジタル放送受信部は、
デジタル放送信号を受信する放送受信手段と、前記放送受信手段で受信したデジタル放送信号のストリームを暗号化するストリーム暗号化手段と、
前記暗号化されたデジタル放送信号のストリームを前記受信制御部に伝送する受信部インターフェース通信手段と、
を備え、
前記受信制御部は、
前記デジタル放送受信部と通信する制御部インターフェース通信手段と、
前記デジタル放送受信部から伝送されたストリームの暗号を復号するストリーム暗号復号手段と、
前記ストリーム暗号復号手段で復号されたストリームをデコードするデコード手段と、
前記デジタル放送受信部を制御する制御手段と、
を備え、
前記制御手段は、前記デジタル放送受信部と前記受信制御部との接続を確認し、前記受信制御部が接続されていることが確認されているときに、前記デジタル放送受信部を制御する制御機能と前記ストリーム暗号復号手段における暗号復号機能と前記デコード手段におけるデコード機能とを有効とする
ことを特徴とするデジタル放送受信システム。
【請求項２】
前記ストリーム変換手段は、前記受信したデジタル放送信号のストリームの変換において、当該ストリームのビットレートを低下させることを特徴とする請求項１に記載のデジタル放送受信システム。
【請求項３】
前記受信制御部はＰＣに実装されており、前記デジタル放送受信部はＰＣに接続するものであることを特徴とする請求項２に記載のデジタル放送受信システム。
【請求項４】
デジタル放送受信部と、前記デジタル放送受信部がインターフェースを介して接続される受信制御部とを有するデジタル放送受信システムを構成するデジタル放送受信装置において、
前記デジタル放送受信部は、
デジタル放送信号を受信する放送受信手段と、
前記放送受信手段で受信したデジタル放送信号のストリームを暗号化するストリーム暗号化手段と、
前記受信制御部と通信する受信インターフェース通信手段と
を備えたことを特徴とするデジタル放送受信装置。
【請求項５】
前記ストリーム変換手段は、前記受信したデジタル放送信号のストリームの変換において、当該ストリームのビットレートを低下させることを特徴とする請求項４に記載のデジタル放送受信装置。
【請求項６】
前記受信制御部はＰＣに実装されており、ＰＣと接続してデジタル放送受信システムを構成することを特徴とする請求項５に記載のデジタル放送受信装置。
【請求項７】
デジタル放送受信部とインターフェースを介して接続可能な受信制御装置において、
前記デジタル放送受信部は、受信したデジタル放送信号のストリームを暗号化し、前記インターフェースを介して前記受信制御装置に伝送するものであり、
前記デジタル放送受信部から伝送されたストリームの暗号を復号するストリーム暗号復号手段と、
前記ストリーム暗号復号手段で復号されたストリームをデコードするデコード手段と、
前記デジタル放送受信部を制御する制御手段とを備え、
前記制御手段は、前記デジタル放送受信部と前記受信制御装置との接続を確認し、前記デジタル放送受信部が接続されていることが確認されているときに、前記デジタル放送受信部を制御する制御機能と前記ストリーム暗号復号手段における暗号復号機能と前記デコード手段におけるデコード機能とを有効とする
ことを特徴とする受信制御装置。
【請求項８】
前記ストリーム変換手段は、前記受信したデジタル放送信号のストリームの変換において、当該ストリームのビットレートを低下させることを特徴とする請求項７に記載の受信制御装置。
【請求項９】
ＰＣに実装されていることを特徴とする請求項８に記載の受信制御装置。
【請求項１０】
デジタル放送受信部と、前記デジタル放送受信部がインターフェースを介して接続可能で、暗号復号機能およびデコード機能を有する受信制御部とを備えるデジタル放送受信シスムにおけるデジタル放送受信方法において、
前記受信制御部の制御手段により、前記デジタル放送受信部と前記受信制御部との接続の状態を監視し、接続されている場合に、前記暗号復号機能および前記デコード機能を有効にし、
前記デジタル放送受信部は、
デジタル放送信号を受信し、
受信したデジタル放送信号をストリーム変換し、
ストリーム変換されたストリームを暗号化して前記インターフェースを介して前記受信制御部に伝送し、
前記受信制御部は、
前記デジタル放送受信部から伝送されたストリームを受信して前記有効にされた暗号復号機能により暗号を復号し、
復号されたストリームを記録し、
復号されたストリームまたは記録されたストリームから再生したストリームを前記有効にされた暗号復号機能によりデコードする
ことを特徴とするデジタル放送受信方法。
【請求項１１】
放送受信手段、前記放送受信手段で受信したデジタル放送信号のストリームを暗号化するストリーム暗号化手段、および、前記暗号化された放送信号のストリームを伝送する受信部インターフェース通信手段を備えるデジタル放送受信部に、インターフェースを介して接続可能で、制御部、記憶部、および入力部を有するコンピュータに、
前記デジタル放送受信部と前記入力部を介して通信する制御部インターフェース通信機能と、
前記デジタル放送受信部から伝送されたストリームの暗号を復号するストリーム暗号復号機能と、
前記ストリーム暗号復号手段で復号されたストリームをデコードするデコード機能と、
前記デジタル放送受信部を制御する制御機能と、
を実現させるため前記記憶部に展開され前記制御部により実行されるプログラムであって、
前記制御手段は、前記デジタル放送受信部と前記制御部インターフェース通信手段との接続を確認し、前記デジタル放送受信部が接続されていることが確認されているときに、前記デジタル放送受信部を制御する制御機能と前記伝送されたストリームの暗号を復号する暗号復号機能と前記復号されたストリームをデコードするデコード機能とを有効とする
ことを特徴とするプログラム。
【請求項１２】
デジタル放送受信部と、前記デジタル放送受信部にインターフェースを介して接続され、制御部、記憶部、および入力部を有するコンピュータを所定の手段として機能させるためのプログラムとを有するデジタル放送受信システムにおいて、
前記デジタル放送受信部は、
デジタル放送信号を受信する放送受信手段と、
前記放送受信手段で受信したデジタル放送信号のストリームを暗号化するストリーム暗号化手段と、
前記暗号化されたデジタル放送信号のストリームを前記コンピュータに伝送する受信部インターフェース通信手段と、
を備え、
前記プログラムは、
前記コンピュータに、
前記デジタル放送受信部と前記入力部を介して通信する制御部インターフェース通信機能と、
前記デジタル放送受信部から伝送されたストリームの暗号を復号するストリーム暗号復号機能と、
前記ストリーム暗号復号手段で復号されたストリームをデコードするデコード機能と、
前記デジタル放送受信部を制御する制御機能と、
を実現させるため前記記憶部に展開され前記制御部により実行されるプログラムであり、
前記制御手段は、前記デジタル放送受信部と前記コンピュータとの接続を確認し、前記デジタル放送受信部が接続されていることが確認されているときに、前記デジタル放送受信部を制御する制御機能と前記伝送されたストリームの暗号を復号する暗号復号機能と前記復号されたストリームをデコードするデコード機能とを有効とする
ことを特徴とするデジタル放送受信システム。
【手続補正３】
【補正対象書類名】明細書
【補正対象項目名】００１５
【補正方法】変更
【補正の内容】
【００１５】
前記目的は、その一例として特許請求の範囲に記載の構成により達成できる。
【手続補正４】
【補正対象書類名】明細書
【補正対象項目名】００１６
【補正方法】削除
【補正の内容】
【手続補正５】
【補正対象書類名】明細書
【補正対象項目名】００５７
【補正方法】変更
【補正の内容】
【００５７】
またデジタル放送特有のハードウェアをチューナユニット側に実装し、ＰＣ側は、全てをソフトウェア・モジュールで実装するため、ＰＣ側は汎用的なものでよいという効果がある。
なお、上述の実施例は少なくとも下記を開示している。
（１）
ＰＣに接続してデジタル放送をＰＣで視聴可能なデジタル放送受信システムであって、
前記デジタル放送受信システムは、  動画圧縮されたデジタル放送波を伸張する放送波デコード手段と前記デコードした放送波の映像の大きさを小さくする映像スケール変換手段とを有するデジタル・チューナユニットと、  ＰＣに接続する伝送インターフェイス手段を備え、  前記伝送インターフェイス手段を経由してＰＣにデジタル放送映像を送付し、デジタル放送を視聴可能にすることを特徴とするデジタル放送受信システム。
（２）
上記「（１）」に記載のデジタル放送受信システムにおいて、  前記デジタル・チューナユニットはデジタルチューナと放送波デコーダを有し、前記伝送インターフェイス手段は、デコード後の映像情報をＰＣに送付することを特徴とするデジタル放送受信システム。
（３）
上記「（１）」に記載のデジタル放送受信システムにおいて、  前記映像スケール変換手段は、デコードした放送波の映像を縦９６０ドット、横５４０ドットの映像サイズにスケーリングすることを特徴とするデジタル放送受信システム。
（４）
上記「（１）」に記載のデジタル放送受信システムにおいて、  前記映像スケール変換手段は、デコードした放送波の映像を縦７２０ドット、横７２０ドットの映像サイズにスケーリングすることを特徴とするデジタル放送受信システム。
（５）
ＰＣに接続してデジタル放送をＰＣで視聴可能なデジタル放送受信システムであって、
前記デジタル放送受信システムは、  動画圧縮されたデジタル放送波を伸張する放送波デコード手段と前記デコードして放送波のトランスポート・ストリームをプログラム・ストリームに変換するエンコード手段とを有するデジタル・チューナユニットと、  ＰＣに接続する伝送インターフェイス手段を備え、  前記伝送インターフェイス手段を経由してＰＣに帯域小さくしたデジタル放送映像を送付し、デジタル放送を視聴可能にすることを特徴とするデジタル放送受信システム。
（６）
上記「（１）」または上記「（５）」に記載のデジタル放送受信システムにおいて、  前記伝送インターフェイス手段の接続状態を監視する接続監視手段と、  前記デジタル・チューナユニットの映像出力を外部表示部に出力する外部映像出力部を備え、  前記接続監視手段が前記伝送インターフェイス手段の切断を検出したときに前記外部映像出力部から映像出力することを特徴とするデジタル放送受信システム。
（７）
上記「（１）」または上記「（５）」に記載のデジタル放送受信システムにおいて、  前記デジタル・チューナユニットの映像出力を外部表示部に出力する外部映像出力部を備え、  前記伝送インターフェイス手段を経由してＰＣからデコードしたデータ放送視聴画面を受信し、前記デジタル・チューナユニットの映像出力と前記データ放送視聴画面を合成して、前記外部映像出力部から映像出力することを特徴とするデジタル放送受信システム。
（８）
上記「（１）」または上記「（５）」に記載のデジタル放送受信システムにおいて、  前記デジタル・チューナユニットの映像出力を外部表示部に出力する外部映像出力部を備え、  前記伝送インターフェイス手段を経由してＰＣからプログラムストリームをデコードした映像情報を取得し、前記外部映像出力部から映像出力することを特徴とするデジタル放送受信システム。